(57)【要約】一対の基板の対向空間に放電ガスが封入され，一対の基板に横方向に延びる複数の表示電極と縦方向に延びて前記表示電極と交差するアドレス電極とが設けられ，一方の基板上に単位発光領域を画する縦隔壁と横隔壁とからなる格子状の隔壁が設けられたプラズマディスプレイパネルであって，隔壁が平面視のパターンにおいて第１の幅から第２の幅に部分的に細くなり更に第１の幅に戻るパターンを有し，第２の幅の部分の高さが第１の幅の部分の高さよりも低いことを特徴とする。これにより，排気コンダクタンスを改善した隔壁構造を有するプラズマディスプレイパネルを提供できる。
2008010286.tif 000002
【特許請求の範囲】
【請求項１】
一対の基板の対向空間に放電ガスが封入され，一対の基板に横方向に延びる複数の表示電極と縦方向に延びて前記表示電極と交差するアドレス電極とが設けられ，一方の基板上に単位発光領域を画する縦隔壁と横隔壁とからなる格子状の隔壁が設けられたプラズマディスプレイパネルであって，
前記隔壁が平面視のパターンにおいて第１の幅から第２の幅に部分的に細くなり更に第１の幅に戻るパターンを有し，当該第２の幅の部分の高さが前記第１の幅の部分の高さよりも低いことを特徴とするプラズマディスプレイパネル。
【請求項２】
請求項１において，前記第２の幅の部分が，前記単位発光領域間の非発光領域に配置されていることを特徴とするプラズマディスプレイパネル。
【請求項３】
１対の基板の対向する空間に放電ガスを封入してなるプラズマディスプレイパネルにおいて，
前記１対の基板に，横方向に延びる複数の表示電極と，縦方向に延びて前記表示電極と交差するアドレス電極とが設けられ，
前記１対の基板の一方の基板上に，前記表示電極とアドレス電極とが交差する単位発光領域を画する縦隔壁と横隔壁とを有する格子状の隔壁が形成され，
前記格子状の隔壁の横隔壁は，前記縦隔壁により連結されるとともに，平面視の内部に複数の空間を間欠的に有して１対のサブ横壁とそれを連結するサブ縦壁とを有する梯子形状を有し，当該１対のサブ横壁の高さが前記縦隔壁よりも低く，当該サブ縦壁の幅が前記縦隔壁の幅よりも狭く高さが部分的に低く形成されていることを特徴とするプラズマディスプレイパネル。
【請求項４】
請求項２において，前記横隔壁の幅は前記縦隔壁の幅よりも大きいことを特徴とするプラズマディスプレイパネル。
【請求項５】
請求項４において，前記サブ横壁の幅が前記縦隔壁の幅よりも狭く高さが部分的に低く形成されていることを特徴とするプラズマディスプレイパネル。
【請求項６】
請求項４または５において，
前記単位発光領域には１対の表示電極と１本のアドレス電極とが配置され，
前記表示電極が透明電極と当該透明電極に接触するバス電極とで構成され，
前記表示電極のバス電極が，前記横隔壁と重なるよう配置されていることを特徴とするプラズマディスプレイパネル。
【請求項７】
請求項６において，縦方向に隣接する単位発光領域に配置された表示電極が共通化されていることを特徴とするプラズマディスプレイパネル。
【請求項８】
請求項６において，縦方向に隣接する単位発光領域に配置された表示電極は電気的に分離されており，各単位発光領域毎に１対の表示電極が配置されていることを特徴とするプラズマディスプレイパネル。
【請求項９】
１対の基板の対向する空間に放電ガスを封入してなるプラズマディスプレイパネルにおいて，
前記１対の基板に，横方向に延びる複数の表示電極と，縦方向に延びて前記表示電極と交差するアドレス電極とが設けられ，
前記１対の基板の一方の基板上に，前記表示電極とアドレス電極とが交差する単位発光領域を画する縦隔壁と横隔壁とを有する格子状の隔壁が形成され，
前記格子状の隔壁の横隔壁は，前記縦隔壁により連結されるとともに，平面視の内部に複数の空間を間欠的に有して１対のサブ横壁とそれを連結するサブ縦壁とを有する梯子形状を有し，当該サブ縦壁の幅が前記縦隔壁の幅よりも狭く高さが部分的に低く形成されていることを特徴とするプラズマディスプレイパネル。
【請求項１０】
請求項９において，前記横隔壁の幅は前記縦隔壁の幅よりも大きく，当該１対のサブ横壁の高さが前記縦隔壁よりも低いことを特徴とするプラズマディスプレイパネル。
【請求項１１】
請求項９において，前記縦隔壁の幅が前記サブ縦壁に近づくにつれて徐々に狭くなるように形成されていることを特徴とするプラズマディスプレイパネル。
【発明の詳細な説明】
【技術分野】
【０００１】
本発明は，排気コンダクタンスを改善したプラズマディスプレイパネルに関し，特に，背面基板に形成され単位発光領域を画する格子状の隔壁構造を改良して，封止工程での排気コンダクタンスを改善したプラズマディスプレイパネルに関する。
【背景技術】
【０００２】
近年において，プラズマディスプレイパネル（以下ＰＤＰ）は，より大画面化の要請が強い。現在商品化されているＰＤＰは，ＡＣ型３電極面放電形式である。図１は，従来のＰＤＰの概略構成を示す展開斜視図である。前面基板１１上に，横方向に延びる複数の表示電極４０とそれを被覆する誘電体層１７とその保護層１８とが形成され，背面基板２１上に，縦方向に延び表示電極に交差する複数のアドレス電極Ａとそれを被覆する誘電体層２４と，アドレス電極と表示電極とが交差する単位発光領域（放電セル）を画する格子状（閉鎖形、ボックス形、ワッフル形ともいう）の隔壁（リブ）２９Ｈ，２９Ｖと，アドレス電極を覆う誘電体層上と隔壁の側壁上の蛍光体２８とが形成される。【０００３】
そして，前面基板と背面基板とがそれらの間に放電空間を介して封止される。この封止工程では，前面基板と背面基板の周囲を封止材により封止し，さらに，背面基板に形成された通気孔と通気管を介して内部排気をしてから，Ｎｅ及びＸｅの混合ガスなどの放電ガスを封入して通気管をチップオフ（閉じる）する。この内部排気工程は，保護膜１８に吸着された水分やパネル内部の不純物を取り除いて，蛍光体劣化による輝度の低下や電圧変動，電圧変動に伴う輝度ムラを抑制する工程である。【０００４】
図１に示されるとおり，隔壁２９は，縦方向に延びる縦隔壁２９Ｖと横方向に延びる横隔壁２８Ｈとで構成される格子状の隔壁であり，それらにより単位発光領域（放電セル）Ｃが画されている。各単位発光領域Ｃには，横方向に延びる表示電極対４０と縦方向に延びるアドレス電極Ａとが配置される。【０００５】
格子状の隔壁により単位発光領域Ｃの４方を囲み，蛍光体を４つの隔壁の側壁上まで形成することで，放電時の紫外線により励起される蛍光体の表面積を増加させて発光効率を高めることができる。したがって，高精細化されて単位発光領域が狭くなっても高い輝度を保つことができる。さらに，格子状の隔壁により単位発光領域Ｃを囲んでいるので，上下左右方向に隣接する単位発光領域Ｃに放電の干渉が生じることが回避でき，誤放電防止が期待できる。【０００６】
格子状の隔壁により単位発光領域間の放電干渉を回避し，蛍光体の発光効率を高めることができる。しかし，隔壁を格子状にすると封止工程における内部排気での排気コンダクタンスが低下するという問題がある。特に，パネルの中心部分ほど排気コンダクタンスが低下する。この排気コンダクタンスの改善は，大画面化されるＰＤＰにおいて解決すべき問題である。【０００７】
排気コンダクタンスを改善した隔壁構造については，例えば以下の特許文献１，２，３，４に記載されている。特許文献１には，横隔壁に隙間を設けることにより横方向の排気コンダクタンスを改善することが記載されている。しかし，縦方向の排気コンダクタンスの改善については記載されていない。特許文献２には，横隔壁の幅を縦隔壁よりも太くすることで，ガラスペーストで形成された隔壁の高温焼成工程での引っ張り応力により低く形成することが記載されている。つまり，縦方向の排気コンダクタンスの改善は示されているが，横方向の排気コンダクタンスの改善は行われていない。特許文献３には，横隔壁と縦隔壁の交差部の高さが他の部分よりもへこんでいることが記載されている。そして，特許文献４には，各部分の隔壁を構成する材料を異ならせることにより部分的に隔壁の高さを低くして排気コンダクタンスを改善することが記載されている。
【特許文献１】特開２０００−３１１６１２号公報
【特許文献２】特開２００２−８３５４５号公報
【特許文献３】特開２００５−２６０５０号公報
【特許文献４】特開２００５−３４７０４５号公報
【発明の開示】
【発明が解決しようとする課題】
【０００８】
前述のとおり，格子状の隔壁を形成すると封止工程における排気コンダクタンスが低くなるという問題がある。つまり，封止工程において前面側基板と背面側基板とを貼り合わせた状態で内部排気を行って，パネル内部の水分や有機物などの不純物を除去することが行われる。内部排気を十分に行うことができないと，蛍光体が劣化して輝度の低下や電圧変動，電圧変動に伴うパネル面内の表示ムラなどを招く。【０００９】
前述した特許文献１〜４は，格子状の隔壁構造で且つ部分的に隔壁を低くする工夫が示されているが，いずれも充分な改善とは言えない。例えば，特許文献１，２では，縦又は横の一方の排気コンダクタンスを改善しているが両方向の排気コンダクタンスの改善にはなっていない。また，特許文献３では，隔壁の交差位置で部分的に低く形成されるのみである。そして，特許文献４では隔壁の材料を変更するなど複雑な製造プロセスを要求するので現実的な改善とは言えない。【００１０】
そこで，本発明の目的は，簡単な構成で排気コンダクタンスを改善し発光効率の低下を抑制した隔壁構造を有するプラズマディスプレイパネルを提供することにある。
【課題を解決するための手段】
【００１１】
上記の目的を達成するために，本発明の第１の側面によれば，一対の基板の対向空間に放電ガスが封入され，一対の基板に横方向に延びる複数の表示電極と縦方向に延びて前記表示電極と交差するアドレス電極とが設けられ，一方の基板上に単位発光領域を画する縦隔壁と横隔壁とからなる格子状の隔壁が設けられたプラズマディスプレイパネルであって，前記隔壁が平面視のパターンにおいて第１の幅から第２の幅に部分的に細くなり更に第１の幅に戻るパターンを有し，当該第２の幅の部分の高さが前記第１の幅の部分の高さよりも低いことを特徴とする。【００１２】
第１の隔壁が部分的に狭い第２の幅になっているので，高温焼成工程での熱収縮作用によりその高さを低く形成することができる。【００１３】
上記の目的を達成するために，本発明の第２の側面によれば，一対の基板の対向空間に放電ガスが封入され，一対の基板に横方向に延びる複数の表示電極と縦方向に延びて前記表示電極と交差するアドレス電極とが設けられ，一方の基板上に単位発光領域を画する縦隔壁と横隔壁とからなる格子状の隔壁が設けられたプラズマディスプレイパネルであって，単位発光領域を画する横隔壁は，縦隔壁により連結され，さらに平面視において複数の空間を間欠的に有して１対のサブ横壁とそれを連結するサブ縦壁とを有する梯子形状を有する。この横隔壁は縦隔壁よりも低く，縦方向の排気コンダクタンスを改善する。さらに，サブ縦壁の幅は縦隔壁よりも狭くそれによりサブ縦壁の高さは部分的に低く，横方向の排気コンダクタンスを改善する。【００１４】
上記の第２の側面によれば，縦方向の排気コンダクタンスと横方向の排気コンダクタンスとが共に改善されている。【００１５】
上記の目的を達成するために，本発明の第３の側面によれば，１対の基板の対向する空間に放電ガスを封入してなるプラズマディスプレイパネルにおいて，前記１対の基板に，横方向に延びる複数の表示電極と，縦方向に延びて前記表示電極と交差するアドレス電極とが設けられ，前記１対の基板の一方の基板上に，前記表示電極とアドレス電極とが交差する単位発光領域を画する縦隔壁と横隔壁とを有する格子状の隔壁が形成され，前記格子状の隔壁の横隔壁は，前記縦隔壁により連結されるとともに，平面視の内部に複数の空間を間欠的に有して１対のサブ横壁とそれを連結するサブ縦壁とを有する梯子形状を有し，当該サブ縦壁の幅が前記縦隔壁の幅よりも狭く高さが部分的に低く形成されていることを特徴とする。【００１６】
上記の３の側面によれば，サブ縦壁の幅を狭くしてその高さを部分的に低くしているので，横方向の排気コンダクタンスを改善することができる。
【発明の効果】
【００１７】
格子状の隔壁を有しつつ縦方向と横方向の排気コンダクタンスを改善することができる。また，単位発光領域間の境界の横隔壁を構成するサブ縦壁を狭くして高さを低くしているので，発光領域での放電干渉防止作用に影響を与えることは少ない。
【図面の簡単な説明】
【００１８】
【図１】従来のＰＤＰの概略構成を示す展開斜視図である。
【図２】格子状隔壁の一例の平面図である。
【図３】第１の実施の形態における格子状隔壁の平面図である。
【図４】図３のＡ−Ａ’とＢ−Ｂ’の断面図である。
【図５】図３のＡ−Ａ’とＢ−Ｂ’の別の断面図である。
【図６】第１の実施の形態における隔壁とそれ重なる表示電極とを示す平面図である。
【図７】図６のアドレス電極に沿った部分的な断面図である。
【図８】第１の実施の形態における隔壁とそれ重なる別の表示電極とを示す平面図である。
【図９】図８のアドレス電極に沿った部分的な断面図である。
【図１０】第２の実施の形態における格子状隔壁の平面図である。
【図１１】図１０のＣ−Ｃ’とＤ−Ｄ’の断面図である。
【図１２】図１０のＣ−Ｃ’とＤ−Ｄ’の別の断面図である。
【図１３】本実施の形態の隔壁を形成するための製造プロセスの断面図である。
【図１４】本実施の形態の隔壁を形成するための製造プロセスの断面図である。
【図１５】第１の実施の形態における隔壁の変形例を示す平面図である。
【図１６】第１の実施の形態における隔壁の変形例を示す平面図である。
【図１７】第２の実施の形態における隔壁の変形例を示す平面図である。
【図１８】第１の実施の形態における隔壁の変形例を示す平面図である。
【符号の説明】
【００１９】
２９：隔壁                            ２９Ｖ：縦隔壁
２９Ｈ−１，２９Ｈ−２：横隔壁        ２９ＶＳ：サブ縦壁
２９ＨＳ：サブ横壁                    ３２：空間
４０：表示電極                        Ａ：アドレス電極
Ｃ：単位発光領域
【発明を実施するための最良の形態】
【００２０】
以下，図面にしたがって本発明の実施の形態について説明する。但し，本発明の技術的範囲はこれらの実施の形態に限定されず，特許請求の範囲に記載された事項とその均等物まで及ぶものである。【００２１】
図２は，格子状隔壁の一例の平面図である。この隔壁の例は，６つの単位発光領域（セル）を画する隔壁を示すものであり，横方向に延びる合計３本の横隔壁２９Ｈ−１，２９Ｈ−２とそれらを連結して縦方向に延びる合計４本の縦隔壁２９Ｖとを有し，それらの横隔壁と縦隔壁とで格子形状をなしている。そして，１本の横隔壁２９Ｈ−２の幅Ｗ４は，縦隔壁２９Ｖの幅Ｗ１や他の横隔壁２９Ｈ−１の幅よりも太く形成されている。また，横隔壁２９Ｈ−２は，平面視の内部に空間３２が間欠的に設けられ，１対のサブ横壁２９ＨＳとそれらを連結するサブ縦壁２９ＶＳとからなる梯子形状にされている。これらの隔壁及びサブ壁は，いずれも低融点ガラスペーストをパターニングしたあと焼成工程により焼成されて形成され，その焼成工程における熱収縮特性によりその高さが変化する。【００２２】
図２の横隔壁２９Ｈ−２は，前述の特許文献２によれば，その幅Ｗ４が他の隔壁等よりも太く形成されているため，熱収縮作用により焼成後の高さは他の隔壁等よりも低く形成される。そのため，６つの単位発光領域のうち縦方向に隣接する領域間の横隔壁２９Ｈ−２が低くなり，封止工程での縦方向の排気コンダクタンスを改善している。なお，横隔壁２９Ｈ−２には，平面視で空間３２が間欠的に形成されているが，この空間３２が形成されていても，サブ横壁２９ＨＳとサブ縦壁２９ＶＳとで構成される横隔壁２９Ｈ−２は，ある幅Ｗ４を有する一体の隔壁として熱収縮作用を受けるものと考えられる。【００２３】
［第１の実施の形態］
図３は，第１の実施の形態における格子状隔壁の平面図である。この隔壁は，図２と同様に，６つの単位発光領域（セル）を画する隔壁を示すものであり，横方向に延びる合計３本の横隔壁２９Ｈ−１，２９Ｈ−２とそれらを連結して縦方向に延びる合計４本の縦隔壁２９Ｖとを有し，それらの横隔壁と縦隔壁とで格子形状をなしている。そして，横隔壁２９Ｈ−２の幅Ｗ４や，横隔壁２９Ｈ−２の梯子形状なども図２と同じである。図３の隔壁構造で図２と異なるところは，サブ縦壁２９ＶＳの幅Ｗ２が縦隔壁２９Ｖの幅Ｗ１よりも狭いことにある。【００２４】
つまり，図３の隔壁構造では，縦隔壁２９Ｖとそれに連結するサブ縦壁２９ＶＳからなる一続きの縦方向の隔壁において，サブ縦幅２９ＶＳの幅Ｗ２を縦隔壁２９Ｖより狭く形成して，焼成工程での熱収縮作用に基づいてサブ縦壁２９ＶＳの高さを部分的に低くし，横方向の排気コンダクタンスも改善している。この原理は，隔壁幅を部分的に細くすることで，隔壁形成時の熱収縮特性により細く形成した部分の高さが低くなることにある。【００２５】
また，図３の隔壁構造は，図２と同様に横隔壁２９Ｈ−２の幅Ｗ４を適切に太くすることでその高さを縦隔壁２９Ｖよりも低くして，縦方向の排気コンダクタンスも改善している。この熱収縮作用については，前述の特許文献２に記載されているとおりである。【００２６】
図４は，図３のＡ−Ａ’とＢ−Ｂ’の断面図である。これらの断面図において，背面基板２１上にアドレス電極Ａが形成され，それを誘電体層２４が被覆し，その上に隔壁２９が形成されている。誘電体層２４の上と隔壁２９の側面には蛍光体２８が形成されている。【００２７】
Ａ−Ａ’断面図には，３つの横隔壁２９Ｈ−１，２９Ｈ−２，２９Ｈ−１が示され，それらは縦隔壁２９Ｖで連結され，さらに，横隔壁２９Ｈ−２は，空間３２が形成されて，１対のサブ横壁２９ＨＳとそれらを連結するサブ縦壁２９ＶＳとで構成されている。そして，サブ縦壁２９ＶＳの幅Ｗ２が他の縦隔壁２９Ｖやサブ横壁２９ＨＳより細く形成されているため，焼成工程の熱収縮によりその高さが長手方向の中心部分で部分的に低くなっているのが示されている。【００２８】
また，Ｂ−Ｂ’の断面図には，４つのサブ縦壁２９ＶＳとそれらを連結するサブ横壁２９ＨＳとが示され，サブ縦壁２９ＶＳはその高さが低くなっていて，その頂上部分にその傾斜面ＳＬＰが示される。【００２９】
これらの断面図から明らかなとおり，サブ縦壁２９ＶＳが一部低くなっているので，図３の横方向に前面基板との間に貫通する隙間が形成され，横方向の排気コンダクタンスが改善されている。つまり，図４のＡ−Ａ’断面図の紙面方向及びＢ−Ｂ’断面図の横方向の排気コンダクタンスが改善される。なお，図４では，横隔壁２９Ｈ−２の高さは縦隔壁２９Ｖと同じ高さになっている。【００３０】
図５は，図３のＡ−Ａ’とＢ−Ｂ’の別の断面図である。この例では，Ａ−Ａ’断面図に示されるとおり，横隔壁２９Ｈ−２の幅Ｗ４が他の隔壁よりも適切な太い幅に選択され，熱収縮作用により横隔壁２９Ｈ−２全体が，縦隔壁２９Ｖや他の横隔壁２９Ｈ−１よりも低く形成されている。そして，サブ縦壁２９ＶＳも，その幅Ｗ２を狭くしたことで更に低く形成されている。これにより，図３の横方向の排気コンダクタンス，つまり，図４のＡ−Ａ’断面図の紙面方向及びＢ−Ｂ’断面図の横方向の排気コンダクタンスがより改善される。【００３１】
図６は，第１の実施の形態における隔壁とそれ重なる表示電極とを示す平面図である。図６には，図３の平面図に示した隔壁２９が４つ縦方向に配置されている。図６では明確ではないが，横隔壁２９Ｈ−２を構成するサブ縦壁の幅が細く形成されている。また，各隔壁単位２９が隙間３０を介して並べられている。図６の右側には，隔壁２９に重ねて表示電極４０とアドレス電極Ａ(破線)とが示されている。表示電極４０は，ＩＴＯなどからなる透明電極４１とその中央部に重ねて形成されＣｒ／Ｃｕ／Ｃｒからなるバス電極４２とで構成され，バス電極４２が横隔壁２９Ｈ−１，２９Ｈ−２と重なるように形成され，各単位発光領域Ｃには上下一対の表示電極４０が配置されている。表示電極４０は，上下に隣接する単位発光領域で共通の電極となっている。【００３２】
図７は，図６のアドレス電極に沿った部分的な断面図である。この断面図には，前面基板１１と背面基板２１とが示されている。前面基板１１には，透明電極４１とバス電極４２とからなる表示電極４２と，それを被覆する誘電体層１７と，その上のＭｇＯからなる保護層１８とが形成される。また，背面基板２１には，アドレス電極Ａと，誘電体層２４と，隔壁２９と，蛍光体２８とが形成されている。そして，横隔壁２９Ｈ−２を構成する１対のサブ横壁２９ＨＳの高さが縦隔壁２９Ｖよりも低く形成され，さらに１対のサブ横壁２９ＨＳを連結するサブ縦壁２９ＶＳも中心部分が低く形成されている。それにより，前面基板１１の保護層１８との間に十分な隙間３４が形成され，紙面に垂直方向の排気コンダクタンスが改善されている。また，表示電極４０のバス電極４２は，横隔壁２９Ｈ−１，２９Ｈ−２と重なるように形成され，単位発光領域Ｃを遮ることはない。【００３３】
なお，図６に示したとおり，隔壁単位２９が隙間３０を介して並べられているので，その隙間３０も紙面に垂直方向の排気コンダクタンスを改善している。ただし，隔壁単位を隙間３０を介して並べないで，全ての横隔壁２９Ｈを梯子形状の横隔壁２９Ｈ−２にしてもよい。この場合でも，横隔壁２９Ｈ−２は他の隔壁より低く形成され，横隔壁２９Ｈ−２を構成するサブ縦壁２９ＶＳが低く形成されているので，図６の横方向の排気コンダクタンスは改善される。【００３４】
図８は，第１の実施の形態における隔壁とそれに重なる別の表示電極とを示す平面図である。図８の左側の隔壁の平面図は，図６の隔壁と同じである。そして，図８の右側の表示電極４０は，図６の表示電極と異なり，各単位発光領域Ｃに配置された１対のＸ，Ｙ電極４０で構成されている。そして，上下に隣接する単位発光領域では，表示電極４０が分離されている。なお，図８にはバス電極と透明電極とは省略されている。【００３５】
図９は，図８のアドレス電極に沿った部分的な断面図である。この断面図において，表示電極４０と遮光膜４３を除いて，図７と同じである。表示電極４０は，蛍光体２８が形成された各単位発光領域に配置された１対の表示電極で構成され，各表示電極４０は，透明電極４１とバス電極４２とで構成される。そして，１対の表示電極４０の非放電領域には，暗色の遮光膜４３が形成されて，内部の蛍光体２８が前面基板１１側から見えるのを防止している。【００３６】
図９の場合も同様に，前面基板１１の保護層１８との間に十分な隙間３４が形成され，紙面に垂直方向の排気コンダクタンスが改善されている。【００３７】
［第２の実施の形態］
図１０は，第２の実施の形態における格子状隔壁の平面図である。この隔壁は，図２や図３と同様に，６つの単位発光領域（セル）を画する隔壁を示すものであり，横方向に延びる合計３本の横隔壁２９Ｈ−１，２９Ｈ−２とそれらを連結して縦方向に延びる合計４本の縦隔壁２９Ｖとを有し，それらの横隔壁と縦隔壁とで格子形状をなしている。そして，横隔壁２９Ｈ−２の幅Ｗ４や，横隔壁２９Ｈ−２の梯子形状なども，図２，３と同じである。図１０の隔壁構造で図２と異なるところは，サブ縦壁２９ＶＳの幅Ｗ２が縦隔壁２９Ｖの幅Ｗ１よりも狭いことと，さらにサブ横壁２９ＨＳの幅Ｗ３も縦隔壁２９Ｖの幅Ｗ１よりも狭いことにある。【００３８】
つまり，図１０の隔壁構造では，サブ縦壁２９ＶＳの幅Ｗ２とサブ横壁２９ＨＳの幅Ｗ３を他の隔壁より部分的に狭く形成して，サブ縦壁２９ＶＳとサブ横壁２９ＨＳの高さを縦隔壁２９Ｖなどよりも低くして，横方向と縦方向の排気コンダクタンスを共に改善している。また，図１０の隔壁構造でも，図２と同様に横隔壁２９Ｈ−２の幅Ｗ４を適切に太くすることでその高さを縦隔壁２９Ｖや横隔壁２９Ｈ−１よりも低くして，縦方向の排気コンダクタンスも改善している。【００３９】
図１１は，図１０のＣ−Ｃ’とＤ−Ｄ’の断面図である。図４と対比すると理解できるとおり，Ｃ−Ｃ’断面図ではサブ縦壁２９ＶＳは中心部が低く形成されて，さらに，Ｄ−Ｄ’断面図ではサブ横壁２９ＨＳは中心部が低く形成されている。つまり，Ｃ−Ｃ’断面図の１対のサブ横壁２９ＨＳの頂上部には傾斜ＳＬＰが形成され，且つ，Ｄ−Ｄ’断面図のサブ縦壁２９ＶＳの頂上部にも傾斜ＳＬＰが形成される。したがって，横隔壁２９Ｈ−２を構成する１対のサブ横壁２９ＨＳそれぞれが中心部で低く形成されるので，図１０の縦方向の排気コンダクタンスは改善される。【００４０】
図１０のＣ−Ｃ’とＤ−Ｄ’の別の断面図である。この断面図では，Ｃ−Ｃ’断面図に示されるとおり，横隔壁２９Ｈ−２の幅Ｗ４が適切な太さにされて全体として低く形成されている。よって，サブ縦壁２９ＶＳが中央部で低く形成されていることと相まって，図１０の横方向の排気コンダクタンスは更に改善される。【００４１】
［製造プロセス］
図１３，図１４は，本実施の形態の隔壁を形成するための製造プロセスの断面図である。図１３（ａ）に示されるとおり，ガラス基板からなる背面基板２１上に，アドレス電極Ａとそれを被覆する誘電体層２４とが形成され，さらに隔壁層２９が低融点ガラスペーストのスクリーン印刷法またはコート法により，例えば１００〜２００μｍ程度の厚みに形成される。ガラスペーストの材料成分は，例えばＰｂＯが５０〜７０Ｗｔ％，Ｂ２Ｏ３が５〜１０ｗｔ％，ＳｉＯ２が１０〜３０ｗｔ％，Ａｌ２Ｏ３が１５〜２５ｗｔ％，ＣａＯが〜５ｗｔ％である。そして，所定の高温処理により隔壁層２９が乾燥される。【００４２】
次に，図１３（ｂ）（ｃ）に示されるとおり，ドライフィルム層５０を隔壁層２９の上に貼り付けて，マスク５１を介して露光，現像することで，隔壁パターンのドライフィルム層パターン５０が形成される。そして，図１４（ｄ）のように，ドライフィルム層パターン５０をマスクにしたサンドブラスト法により隔壁層２９をパターニングして，図１４（ｅ）のように格子状の隔壁２９が形成される。【００４３】
そして，最後に，ピーク温度が５００〜６００℃の焼成工程により，隔壁２９が焼成される。この焼成工程において，縦隔壁２９Ｖより狭く形成されたサブ縦壁２９ＶＳは，溶融時の熱収縮作用によりその中心部分で高さが低くなる。焼成前のサブ隔壁２９ＶＳの高さが１００〜２００μｍであるのに対して，焼成工程によりその高さは約５〜１０μｍ程度低くなる。また，図示しないが，１対のサブ横壁２９ＨＳとサブ縦壁２９ＶＳとからなる横隔壁２９Ｈ−２の幅Ｗ４を最適な太さにすることで，その高さを縦隔壁２９Ｖより低くできる。図５，図１２に示した通りである。【００４４】
図１５，図１６は，第１の実施の形態における隔壁の変形例を示す平面図である。いずれも，空間３２により梯子形状になっている横隔壁２９Ｈ−２のサブ縦壁２９ＶＳの幅Ｗ２を縦隔壁２９Ｖの幅Ｗ１よりも狭くしている。そして，縦隔壁２９Ｖとサブ縦壁２９ＶＳと縦隔壁２９Ｖを連続してみると，縦隔壁２９Ｖの太い幅Ｗ１から徐々にその幅が狭くなり，サブ隔壁２９ＶＳの幅Ｗ２が最も細くなり，さらに縦隔壁２９Ｖの幅Ｗ１が元の太さに戻っている。図１５では幅Ｗ１が階段状に細くされ，図１６では幅Ｗ１がテーパー状に細くされている。このように形成することで，焼成工程の熱収縮作用により，太い幅Ｗ１の領域よりも細い幅Ｗ２の領域の熱収縮量が大きく，細い幅Ｗ２での高さが太い幅Ｗ１よりも低くなるものと考えられる。【００４５】
図１７は，第２の実施の形態における隔壁の変形例を示す平面図である。この例では，横隔壁２９Ｈ−２のサブ縦壁２９ＶＳとサブ横壁２９ＨＳのいずれもが，縦隔壁２９Ｖの幅Ｗ１よりも狭い幅Ｗ２，Ｗ３に形成されている。しかも，サブ横壁２９ＨＳはテーパー状に細く形成され，サブ縦壁２９ＶＳも縦隔壁２９Ｖからみるとテーパー状に細く形成されている。この場合は，サブ縦壁２９ＶＳとサブ横壁２９ＨＳのいずれもがその高さが低くなる。【００４６】
図１８は，第１の実施の形態における隔壁の変形例を示す平面図である。この例では，格子状の隔壁２９により画される単位発光領域Ｃが，上の行と下の行とで半ピッチずれて配置されている。この場合でも，単位発光領域Ｃの上の行と下の行の間には，横隔壁２９Ｈ−２が形成され，その横隔壁２９Ｈ−２のサブ縦壁２９ＶＳの幅Ｗ２が縦隔壁２９Ｖの幅Ｗ１よりも細く形成され，それによりその高さが低く形成される。【００４７】
上記説明した本実施の形態では，単位発光領域を画する格子形状の隔壁において，その横隔壁２９Ｈ−２のサブ縦壁２９ＶＳやサブ横壁２９ＨＳなどの幅を細くして，高温焼成工程時に発生する熱収縮作用によりその高さを縦隔壁２９Ｖよりも低くするようにしている。いずれも非表示部分の隔壁を細くして高さを低くしている。ただし，高さを低くしているが，隔壁自体は存在しているので，隣接する単位発光領域間の放電の干渉は抑制可能である。
【図１】
2008010286.tif 000003
【図２】
2008010286.tif 000004
【図３】
2008010286.tif 000005
【図４】
2008010286.tif 000006
【図５】
2008010286.tif 000007
【図６】
2008010286.tif 000008
【図７】
2008010286.tif 000009
【図８】
2008010286.tif 000010
【図９】
2008010286.tif 000011
【図１０】
2008010286.tif 000012
【図１１】
2008010286.tif 000013
【図１２】
2008010286.tif 000014
【図１３】
2008010286.tif 000015
【図１４】
2008010286.tif 000016
【図１５】
2008010286.tif 000017
【図１６】
2008010286.tif 000018
【図１７】
2008010286.tif 000019
【図１８】
2008010286.tif 000020
【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
一対の基板の対向空間に放電ガスが封入され，一対の基板に横方向に延びる複数の表示電極と縦方向に延びて前記表示電極と交差するアドレス電極とが設けられ，一方の基板上に単位発光領域を画する縦隔壁と横隔壁とからなる格子状の隔壁が設けられたプラズマディスプレイパネルであって，
前記隔壁が平面視のパターンにおいて第１の幅から第２の幅に部分的に細くなり更に第１の幅に戻るパターンを有し，当該第２の幅の部分の高さが前記第１の幅の部分の高さよりも低いことを特徴とするプラズマディスプレイパネル。
【請求項２】
請求項１において，前記第２の幅の部分が，前記単位発光領域間の非発光領域に配置されていることを特徴とするプラズマディスプレイパネル。
【請求項３】
１対の基板の対向する空間に放電ガスを封入してなるプラズマディスプレイパネルにおいて，
前記１対の基板に，横方向に延びる複数の表示電極と，縦方向に延びて前記表示電極と交差するアドレス電極とが設けられ，
前記１対の基板の一方の基板上に，前記表示電極とアドレス電極とが交差する単位発光領域を画する縦隔壁と横隔壁とを有する格子状の隔壁が形成され，
前記格子状の隔壁の横隔壁は，前記縦隔壁により連結されるとともに，平面視の内部に複数の空間を間欠的に有して１対のサブ横壁とそれを連結するサブ縦壁とを有する梯子形状を有し，当該１対のサブ横壁の高さが前記縦隔壁よりも低く，当該サブ縦壁の幅が前記縦隔壁の幅よりも狭く高さが部分的に低く形成されていることを特徴とするプラズマディスプレイパネル。
【請求項４】
請求項３において，前記横隔壁の幅は前記縦隔壁の幅よりも大きいことを特徴とするプラズマディスプレイパネル。
【請求項５】
請求項４において，前記サブ横壁の幅が前記縦隔壁の幅よりも狭く高さが部分的に低く形成されていることを特徴とするプラズマディスプレイパネル。
【請求項６】
請求項４または５において，
前記単位発光領域には１対の表示電極と１本のアドレス電極とが配置され，
前記表示電極が透明電極と当該透明電極に接触するバス電極とで構成され，
前記表示電極のバス電極が，前記横隔壁と重なるよう配置されていることを特徴とするプラズマディスプレイパネル。
【請求項７】
請求項６において，縦方向に隣接する単位発光領域に配置された表示電極が共通化されていることを特徴とするプラズマディスプレイパネル。
【請求項８】
請求項６において，縦方向に隣接する単位発光領域に配置された表示電極は電気的に分離されており，各単位発光領域毎に１対の表示電極が配置されていることを特徴とするプラズマディスプレイパネル。
【請求項９】
１対の基板の対向する空間に放電ガスを封入してなるプラズマディスプレイパネルにおいて，
前記１対の基板に，横方向に延びる複数の表示電極と，縦方向に延びて前記表示電極と交差するアドレス電極とが設けられ，
前記１対の基板の一方の基板上に，前記表示電極とアドレス電極とが交差する単位発光領域を画する縦隔壁と横隔壁とを有する格子状の隔壁が形成され，
前記格子状の隔壁の横隔壁は，前記縦隔壁により連結されるとともに，平面視の内部に複数の空間を間欠的に有して１対のサブ横壁とそれを連結するサブ縦壁とを有する梯子形状を有し，当該サブ縦壁の幅が前記縦隔壁の幅よりも狭く高さが部分的に低く形成されていることを特徴とするプラズマディスプレイパネル。
【請求項１０】
請求項９において，前記横隔壁の幅は前記縦隔壁の幅よりも大きく，当該１対のサブ横壁の高さが前記縦隔壁よりも低いことを特徴とするプラズマディスプレイパネル。
【請求項１１】
請求項９において，前記縦隔壁の幅が前記サブ縦壁に近づくにつれて徐々に狭くなるように形成されていることを特徴とするプラズマディスプレイパネル。
【国際調査報告】
2008010286.tif 000021
2008010286.tif 000022
2008010286.tif 000023
2008010286.tif 000024